(57)【要約】【課題】表示部に表示されるメモ等の画像要素に対するユーザのアクセスを容易にする。【解決手段】電子文書８０の同一箇所に付されたメモ８４〜９０を、メモ群８２としてまとめて管理する。ユーザがマウス操作によりポインタ９３をメモ群８２の上に置くと（ａ）、メモ群８２は扇形状に再表示される（ｂ）。そして、これにより、表示面積が増大し、個々のメモ内容が示される。さらに、再表示されたメモ８８にポインタ９３を合わせると、その全メモ内容が吹き出し１０２内に別表示される（ｃ）。【選択図】図４
2005148782.tif 000002
【特許請求の範囲】
【請求項１】
画像を表示する表示部と、
前記画像の部分をなす画像要素であって前記表示部に表示される標準表示サイズが定められた複数の画像要素を一群の画像要素群として管理する管理手段と、
前記画像要素群を、各画像要素を重ねて配置して前記表示部に表示させる表示指示手段と、
前記表示部に表示された前記画像要素群を再表示対象としてユーザ選択させる要素群選択手段と、
前記要素群選択手段によりユーザ選択された前記画像要素群を、各画像要素を画像要素間の重なり比率を減少させるように再配置して前記表示部に再表示させる再表示指示手段と、
を備える、ことを特徴とする画像表示装置。
【請求項２】
請求項１に記載の画像表示装置において、
前記画像要素は、栞、メモ、アノテーションの少なくとも一つの機能を備え、前記画像の部分をなす電子文書に付されてその閲覧を補助するために用いられる、ことを特徴とする画像表示装置。
【請求項３】
請求項１に記載の画像表示装置において、
前記再表示指示手段は、前記表示指示手段により最も手前側に配置された画像要素の表示位置を固定し、残る画像要素の表示位置を移動するように各画像要素の再配置を行う、ことを特徴とする画像表示装置。
【請求項４】
請求項１に記載の画像表示装置において、
前記再表示指示手段は、前記画像要素群が扇形を形成するように各画像要素の再配置を行う、ことを特徴とする画像表示装置。
【請求項５】
請求項４に記載の画像表示装置において、
前記扇形の中心位置は、前記標準表示サイズの大きさに応じて変えられる、ことを特徴とする画像表示装置。
【請求項６】
請求項１に記載の画像表示装置において、
少なくとも一つの前記画像要素は、その画像要素内での標準的な表示位置及び表示方向が定められた文字情報を含み、
前記再表示指示手段は、前記文字情報を含む少なくとも一つの画像要素に対し前記文字情報の表示位置又は表示方向の変更を行う、ことを特徴とする画像表示装置。
【請求項７】
請求項１に記載の画像表示装置において、
少なくとも一つの前記画像要素は文字情報を含み、
当該画像表示装置は、
前記表示部に再表示された各画像要素をユーザ選択させる要素選択手段と、
ユーザ選択された画像要素の前記文字情報の一部または全てが表示されていない場合に、前記表示部に対し前記文字情報をその画像要素の近傍に別表示させる別表示指示手段と、
を備える、ことを特徴とする画像表示装置。
【請求項８】
請求項１に記載の画像表示装置において、
前記再表示指示手段は、前記表示指示手段により表示された各画像要素のサイズ変更も行って、前記画像要素群を前記表示部に再表示させる、ことを特徴とする画像表示装置。
【請求項９】
請求項１に記載の画像表示装置において、
前記再表示指示手段は、各画像要素の一部分のみを再表示させる、ことを特徴とする画像表示装置。
【請求項１０】
請求項１に記載の画像表示装置において、
再表示指示手段は、再配置の前後における対応関係を示して、各画像要素を前記表示部に再表示させる、ことを特徴とする画像表示装置。
【請求項１１】
画像を表示する表示部を備えたコンピュータにおいて実行されるプログラムであって、
前記画像の部分をなす画像要素であって前記表示部に表示される標準表示サイズが定められた複数の画像要素を一群の画像要素群として管理する管理モジュールと、
前記画像要素群を、各画像要素を重ねて配置して前記表示部に表示させる表示指示モジュールと、
ユーザ入力に基づいて、前記表示部に表示された前記画像要素群を再表示対象として受け付ける受付モジュールと、
受け付けられた前記画像要素群を、各画像要素を画像要素間の重なり比率を減少させるように再配置して前記表示部に再表示させる再表示指示モジュールと、
を含む、ことを特徴とする画像表示プログラム。
【請求項１２】
画像を表示する表示部を備えたコンピュータにおいて実行される方法であって、
前記画像の部分をなす画像要素であって前記表示部に表示される標準表示サイズが定められた複数の画像要素を一群の画像要素群として管理する管理ステップと、
前記画像要素群を、各画像要素を重ねて配置して前記表示部に表示させる表示指示ステップと、
ユーザ入力に基づいて、前記表示部に表示された前記画像要素群を再表示対象として受け付ける受付ステップと、
受け付けられた前記画像要素群を、各画像要素を画像要素間の重なり比率を減少させるように再配置して前記表示部に再表示させる再表示指示ステップと、
を含む、ことを特徴とする画像表示方法。
【発明の詳細な説明】
【技術分野】
【０００１】
画像を構成する複数の画像要素を重ねて表示する技術、特に、ユーザによる画像要素の取り扱いを補助する技術に関する。
【背景技術】
【０００２】
電子文書を取り扱うソフトウエアにおいては、閲覧の便宜を図るため、電子文書中に電子的な付箋を付す技術が用いられている。ユーザは、画面上に画像表示された電子文書中に、やはり画像表示された付箋を付与することができる。
【０００３】
特許文献１には、付箋を添付した電子文書を複数ページ重ねて表示する際に、付箋の重なり順序と位置に基づいて添付位置を変更することにより、下層の付箋を表示可能にする技術が開示されている。また、特許文献２にも、付箋を添付した電子文書を複数ページ重ねて表示する技術が開示されている。
【０００４】
【特許文献１】特開平８−２９２８６１号公報
【特許文献２】特開２００１−３０６５５３号公報
【発明の開示】
【発明が解決しようとする課題】
【０００５】
付箋を重ねて表示する場合に、従来行われていたように、例えば少しずつ平行にずらして表示したのでは、２枚目以降の付箋を選択する際に不便がある。すなわち、２枚目以降の付箋は表示面積が小さく、マウスなどのポインタで操作するのに難儀がある。また、付箋にメモ内容等が記されている場合に、その内容を把握することが容易ではない。
【０００６】
本発明の目的は、付箋等の画像要素に対するユーザの操作性を向上させることにある。
【０００７】
また、本発明の別の目的は、付箋等に記載されている内容の認識性を向上させることにある。
【課題を解決するための手段】
【０００８】
本発明の画像表示装置は、画像を表示する表示部と、前記表示部に表示される標準表示サイズが定められた複数の画像要素を一群の画像要素群として管理する管理手段と、前記画像要素群を、各画像要素を重ねて配置して前記表示部に表示させる表示指示手段と、前記表示部に表示された前記画像要素群を再表示対象としてユーザ選択させる要素群選択手段と、前記要素群選択手段によりユーザ選択された前記画像要素群を、各画像要素を画像要素間の重なり比率を減少させるように再配置して前記表示部に再表示させる再表示指示手段と、を備える。
【０００９】
画像表示装置は、画像データを可視化して画像として表示する表示部を備えている。表示される画像の中には、標準表示サイズが定められた画像要素が含まれる。管理手段は、複数個のこの画像要素を画像要素群として管理する手段である。すなわち、同じ画像要素群に含まれる画像要素の一覧表を作成したり、各画像要素に同じ画像要素群属性を与えるなどして関連させたりすることでグループとして管理することができる。管理する画像要素群は複数あってもよい。表示指示手段は、複数個の画像要素を重ねて配置し、表示部に表示させる。重ねた配置とは、例えば各標準サイズが全て等しい場合に、複数個の画像要素を完全に合わせて奥側に他の画像要素があることを示さない配置であってもよいし、若干位置をずらし奥側に他の画像要素があることを示すようにした配置であってもよい。
【００１０】
要素群選択手段は、ユーザに対しマウス等の入力手段により、表示されている画像要素群を操作対象として選択させるものである。選択は、例えば、マウスが指し示すポインタを画像要素群上に移動させることによって選択させてもよい。また、ポインタを画像要素群上に移動後一定時間経過した場合や、ポインタを画像要素群上に移動後右クリックがなされた場合に、選択がなされたとみなすことも可能である。各画像要素は管理手段によってまとめてグループとして管理されているので、ポインタ下にある画像要素だけでなくこの画像要素を含む画像要素群全体が再表示対象として選ばれる。再表示指示手段は、再表示対象としてユーザ選択された画像要素群を再表示する。再表示は、画像要素間の重なり比率（サイズが同じ場合には面積も）を減少させるように各画像要素を再配置して行う。もちろん、比率を減少させた結果、重なりが完全に解消されてもよい。再配置は、例えば、各画像要素を一定方向に平行移動させることで行われる。また、奥側（下層）に配置されていた画像要素ほど、移動距離を大きくすることで、重なりの順序関係を明確にすることも有効である。
【００１１】
これにより、再表示された画像要素群の各画像要素の表示面積が大きくなり、各画像要素に対するユーザアクセスが容易となる。すなわち、例えばユーザが、個々の画像要素を選択するような処理を行うことが容易になる。また、画像要素に記載されている文字や図形等の表示内容を容易に認識することができるようになる。
【００１２】
望ましくは、本発明の画像表示装置において、前記画像要素は、栞、メモ、アノテーションの少なくとも一つの機能を備え、前記画像の部分をなす電子文書に付されてその閲覧を補助するために用いられる。電子文書とは、電子化された文書データであり、文字、図形、写真等を含むことができる。そして、典型的には、あたかも用紙上に印刷されたかのように画像表示される。電子文書は複数のページからなっていてもよく、この場合には、閲覧していないページを閲覧中のページの下に重ね合わせることも可能である。
【００１３】
前記画像要素は、この電子文書を閲覧する際に用いられる栞、メモ、アノテーション（注釈）の少なくとも一つの機能を備える。すなわち、実際の文書中に対し、栞、メモ、アノテーションを用いるかのようにして用いることができる。栞は電子文書中の任意の箇所あるいは任意の領域を特定するためのものであり、電子文書中の対応位置に貼り付けることができる。栞に対しては、典型的には、それぞれの標準的表示サイズが設定される。標準的表示サイズは、同一種類の栞においては、全て同じであることが特に望ましい。メモは、文字、記号、リンク情報等を含んだ栞に相当する。また、アノテーションは、電子文書に対しユーザがペンで直接的に書き込みを行う態様を取り入れたものである。例えば、電子文書中の文字とは異なる色で電子文書中に直接的に表示することができる。
【００１４】
栞、メモ、アノテーション等の前記画像要素は、電子文書の同一箇所や同一領域、あるいはそれらと部分的に重複する近傍箇所や近傍領域に複数設定することができる。そして、このような前記画像要素は相互に密接に関連しているとみなせるので、ユーザの指示あるいは自動設定内容に従って、典型的には管理手段により一群の画像要素群として管理される。
【００１５】
望ましくは、本発明の画像表示装置において、前記再表示指示手段は、前記表示指示手段により最も手前側に配置された画像要素の表示位置を固定し、残る画像要素の表示位置を移動するように各画像要素の再配置を行う。これにより、表示指示手段によって最も手前側に配置され全域が表示された画像要素の位置が変わることなく、奥側の画像要素が再配置される。したがって、もともと表示されていた画像要素が別の箇所に再表示されることによるユーザの目移りを防ぐことができる。また、ユーザは、もともと表示されていた画像要素を基準として配置の変更を容易に把握することができる。
【００１６】
望ましくは、本発明の画像表示装置において、前記再表示指示手段は、前記画像要素群が扇形を形成するように各画像要素の再配置を行う。つまり、各画像要素は扇形を形成する円や楕円等の曲線の弧に沿って拡げられる。弧の曲率は適宜定めることができる。特に望ましくは、画像要素は、手前側から奥側へ向かうにつれ順次同一方向に拡げられる。すなわち、画像要素の再配置は、あたかもトランプのカードを拡げるようにして行われる。
【００１７】
望ましくは、本発明の画像表示装置において、前記扇形の中心位置は、前記標準表示サイズの大きさに応じて変えられる。例えば、標準表示サイズが小さい場合には、表示部には大きな扇形を形成するだけの領域が残されている。したがって、扇形の中心位置を画像要素の外部に設定し、大きな扇形を形成して画像要素の重なり面積を小さくすることが特に望ましい。一方、標準表示サイズが大きい場合には、大きな扇形を形成したのでは、表示部の表示範囲からはみ出してしまう。したがって、扇形の中心位置を画像要素の内部に設定し、小さな扇形を形成することが特に望ましい。中心位置の変更段階は、無限段階であってもよいが、複数段階（例えば２段階）であってもよい。
【００１８】
望ましくは、本発明の画像表示装置において、少なくとも一つの前記画像要素は、その画像要素内での標準的な表示位置及び表示方向が定められた文字情報を含み、前記再表示指示手段は、前記文字情報を含む少なくとも一つの画像要素に対し前記文字情報の表示位置又は表示方向の変更を行う。例えば画像要素が扇形に拡げた結果、文字の天地方向が画面表示の天地方向に対し反対向き（なす角が９０度から２７０度）である場合には、その文字全体に１８０度反転させて表示することは有効である。また、文字の文字列並び（及び各文字の天地方向）が画面表示の天地方向に対し斜めになっている場合に、画面表示の天地方向に合わせた縦書きあるいは横書きに文字列並び（及び各文字の天地方向）を変更することも効果的である。さらには、他の画像要素との重複の結果先頭部分の文字を読み取ることができない場合に、表示可能な部分に先頭部分の文字を表示することも有効である。表示にあたっては、縮小表示も行って、全体を読み取り可能にしてもよい。
【００１９】
望ましくは、本発明の画像表示装置において、少なくとも一つの前記画像要素は文字情報を含み、当該画像表示装置は、前記表示部に再表示された各画像要素をユーザ選択させる要素選択手段と、ユーザ選択された画像要素の前記文字情報の一部または全てが表示されていない場合に、前記表示部に対し前記文字情報をその画像要素の近傍に別表示させる別表示指示手段と、を備える。
【００２０】
望ましくは、本発明の画像表示装置において、前記再表示指示手段は、前記表示指示手段により表示された各画像要素のサイズ変更も行って、前記画像要素群を前記表示部に再表示させる。すなわち、画像要素が比較的大きな場合には、縮小表示を行うことにより、画像要素間の重なり比率を減少させることができるようになる。また、画像要素が比較的小さい場合には、拡大表示を行うことにより、内容の認識が容易となる。
【００２１】
望ましくは、本発明の画像表示装置において、前記再表示指示手段は、各画像要素の一部分のみを再表示させる。すなわち、予めあるいはユーザにより設定された画像要素中の特定部分（例えば左上など）のみを再表示の対象とする。これにより、例えば画像要素が比較的大きな場合にも、奥側の画像要素の内容を部分的にではあるが把握することができる。
【００２２】
望ましくは、本発明の画像表示装置において、再表示指示手段は、再配置の前後における対応関係を示して、各画像要素を前記表示部に再表示させる。当初の配置と再配置とが関連づけられれば、ユーザは、再表示内容を容易に把握することができる。例えば、当初の配置位置から再配置位置へ移動する過程を時間的に多段階に示すアニメーション表示をしたり、当初の配置位置との対応を点線で表示したりするとよい。
【００２３】
本発明の画像表示プログラムは、画像を表示する表示部を備えたコンピュータにおいて実行されるプログラムであって、前記表示部に表示される標準表示サイズが定められた複数の画像要素を一群の画像要素群として管理する管理モジュールと、前記画像要素群を、各画像要素を重ねて配置して前記表示部に表示させる表示指示モジュールと、ユーザ入力に基づいて、前記表示部に表示された前記画像要素群を再表示対象として受け付ける受付モジュールと、受け付けられた前記画像要素群を、各画像要素を画像要素間の重なり比率を減少させるように再配置して前記表示部に再表示させる再表示指示モジュールと、を含む。
【００２４】
本発明の画像表示方法は、画像を表示する表示部を備えたコンピュータにおいて実行される方法であって、前記表示部に表示される標準表示サイズが定められた複数の画像要素を一群の画像要素群として管理する管理ステップと、前記画像要素群を、各画像要素を重ねて配置して前記表示部に表示させる表示指示ステップと、ユーザ入力に基づいて、前記表示部に表示された前記画像要素群を再表示対象として受け付ける受付ステップと、受け付けられた前記画像要素群を、各画像要素を画像要素間の重なり比率を減少させるように再配置して前記表示部に再表示させる再表示指示ステップと、を含む。
【発明を実施するための最良の形態】
【００２５】
以下に本発明の実施の形態を説明する。
【００２６】
図１は、本実施形態に係る画像表示装置１０の概略的な機能ブロック図である。画像表示装置１０は、例えばＰＣ（パーソナルコンピュータ）、携帯電話を含む携帯情報端末など、画像表示をユーザと対話的に進行する機能を備えたハードウエアによって実現されている。画像表示装置１０は、外部装置とデータや指令信号の通信を行う入出力部１２、キーボードやマウスなどの入力装置を備えたユーザによる入力を可能にするユーザ入力部１４、液晶ディスプレイ等を備え画像を表示する表示部１６を有している。これらは、演算処理機能を備えた制御部１８によって制御されている。この制御部１８は、ＭＰＵ（超小型処理装置）等の演算処理機能を備えたハードウエアと、そのハードウエアの動作を規定するソフトウエア（プログラム）とが協働することで制御を実施している。制御部１８は、さらに、次に述べる管理部２０、選択部３０、表示処理部４０の制御も行っている。
【００２７】
この画像表示装置１０は表示部１６に様々な内容の画像を表示させることができるが、特に望ましくは電子文書に係る画像を表示する。管理部２０は、表示画像の部分を構成する画像要素を管理する。画像要素は、例えば、表示される電子文書に付与する栞、メモ、アノテーションなどであってもよいし、複数ページからなる電子文書であってもよい。管理部２０は、要素群設定部２２と記憶部２４を備えている。要素群設定部２２は、複数個の画像要素をグルーピングして画像要素群を設定する。また、記憶部２４には画像要素２６の他、設定された画像要素群の情報も記憶されている。
【００２８】
選択部３０は、要素群選択部３２と要素選択部３４を備えている。要素群選択部３２は、ユーザ入力部１４からの入力に基づいて、表示部１６に表示された画像中の画像要素群を選択する。選択された画像要素群に対しては、あとで述べるようにその中に含まれる画像要素を再配置がなされ、表示部１６に再表示される。また、要素選択部３４は、表示部１６に再表示された画像要素群の中から、ユーザ入力部１４からの入力に基づいて画像要素を選択する。
【００２９】
表示処理部４０は、画像の生成処理を行う部位であり、生成された画像は制御部の指示に基づいて表示部１６に表示される。表示処理部４０は、背景データや電子文書に基づいて画像を生成する一般的な機能に加え、配置処理部４２と再配置処理部４４とを備えている点に大きな特徴がある。配置処理部４２は、表示対象の画像要素群に属する画像要素を配置する。
【００３０】
再配置処理部４４は、要素群選択部３２によって選択された画像要素群に対し、予め設定された規則に従って画像要素の再配置を行う。再配置処理部４４には、再配置に係る処理を行うために、扇形処理部４６、サイズ処理部４８、文字処理部５０、部分設定部５２、対応処理部５４、別表示処理部５６が含まれている。
【００３１】
扇形処理部４６は、画像要素を扇形に再配置する。サイズ処理部４８は、画像要素のサイズの変更を行う。文字処理部５０は、画像要素に含まれる文字をユーザが容易に認識できるように処理を行う。部分設定部５２は、再配置処理を画像要素の部分にのみ適用する場合にその部分を設定する。対応処理部５４は、配置処理部４２による画像要素の配置と再配置処理部４４による画像要素の再配置とを関連づけるための処理を行う。別表示処理部５６は、再配置された画像要素が要素選択部３４によって選択された場合に、その画像要素に含まれる文字等をその画像要素の近傍に別表示する。
【００３２】
図２は、表示部１６に表示される画像の典型例を簡略化して示した図である。この画像は、電子文書６０を中心に構成されている。電子文書６０には、文字領域６２と写真領域６４とが含まれている。この電子文書６０は、ワープロ機能を備えたソフトウエア等で作成されたものであり、特徴的な点は画像要素群をなすメモ群６６が付与されている点である。メモ群６６は、メモ６８、７０、７２によって構成されている。これらのメモ６８、７０、７２は、全て写真領域６４に対するメモである。このためまとめて一群のメモ群６６として取り扱われている。
【００３３】
メモ６８、７０、７２は、全て同じ大きさをもつ長方形状である。ただし、メモ７２の手前にメモ７０が若干位置をずらして重ねられ、さらにメモ７０の手前にメモ６８がさらに若干位置をずらして重ねられている。このため、メモ６８は全面的に表示されているが、メモ７０、７２は、一部しか表示されていない。
【００３４】
次に、本実施形態の処理の流れの例を図３と図４を用いて説明する。図３は、処理の概略例を示すフローチャートである。また、図４は、画像の様子を３つの処理段階において示した図である。まず、ステップＳ１０において表示部１６に画像表示がなされる。この画像表示は、配置処理部４２によって処理された内容に基づくものである。すなわち、図４（ａ）に示すように、電子文書８０の同一箇所にメモ群８２が部分画像群として表示されている。メモ群８２は、それを構成する４つのメモ８４、８６、８８、９０が若干位置をずらして重ねられて表示されている。メモ８４には、「設計の曖昧部分をつめてみました。」とのメモ内容９２が表示されている。なお、他のメモ８６、８８、９０にも同様にメモ内容が含まれているが、表示面積が小さいためその内容は表示されていない。
【００３５】
ユーザは、このメモ群８２の内容を見るために、マウスを操作してポインタ９３をメモ群８２の上に移動させる。これにより、選択部３０の要素群選択部３２は、このメモ群８２によって構成される画像要素群が再配置操作のための選択をなされたと判断する（Ｓ１２）。
【００３６】
続いて、扇形処理部４６において、画像要素群を構成する画像要素としてのメモ８４、８６、８８、９０を扇形状に再配置するための演算がなされ（Ｓ１４）、その結果に基づいて表示部１６の表示内容が更新される（Ｓ１６）。図４（ｂ）に示すように、メモ群８２は、扇形状に拡げられている。すなわち、一番手前にあるメモ８４の位置はかわらないが、メモ８６、８８、９０は、順次右周りに回転移動されて、その表示割合を大幅に増加させている。これにより、メモ８６、８８、９０のそれぞれに含まれるメモ内容９４、９６、９８が大方表示されている。
【００３７】
この扇形処理においては、扇の中心位置１００をメモ９２の左端付近に設定し、また、互いのメモがなす角を４５度程度に設定しているが、もちろん、これらは適宜変更することが可能である。また、表示要素の数が多い場合には、一部分を重ね合わせ表示したままとし、ユーザのスクロール指令に基づいて順次スクロールすることも有効である。なお、メモ９０のメモ内容９８は本来であれば文字が下方を向いて表示されるはずであるが、文字処理部５０において１８０度の反転操作が行われ文字が上方に向くように表示されている。これにより、ユーザは容易に文字を読み得るようになる。
【００３８】
次のステップＳ１８においては、画像要素としてのメモ８８が要素選択部３４によって選択されている。すなわち、図４（ｃ）に示すように、ユーザがマウスを操作してポインタ９３をメモ８８の上に移動させたことを受けて、メモ８８が選択されている。これにより、制御部１８は、別表示処理部５６に対し、メモ８８のメモ内容９６をメモ８８付近に別表示するように指示する。
【００３９】
別表示処理部５６は、メモ８８からのびる吹き出し１０２を生成し、その中にメモ内容９６を完全に示した完全メモ内容１０４を挿入する。そして、この処理に基づいて制御部１８は表示部１６の表示を更新する（Ｓ２０）。
【００４０】
以上に説明した実施形態の他にも、さまざまな態様による実施が可能であり、以下にその例を示す。
【００４１】
図５は、図４に対応した図であり、別の処理過程の一例を示したものである。図５（ａ）は、図４（ａ）と同一の図である。ここにおいて、ユーザがマウス操作を行いポインタ９３をメモ群８２の上に移動させることで、扇形処理部４６の処理に基づいて、図５（ｂ）に示した表示がなされる。図５（ｂ）の表示における特徴は、メモ群８２が当初存在した位置付近を中心に扇形が形成されていることである。すなわち、最も手前にあるメモ８４は左回転して上側に、最も奥側にあるメモ９０は右回転して下側に移動しており、真ん中付近に重ねられていたメモ８６、８８はその間に配置されている。この態様においては、当初からメモ内容９２を見ることができたメモ８４を上側に移動してしまい、メモ８６、８８、９０のメモ内容９４、９６、９８を比較的見やすい位置、すなわち、メモ群８２の当初位置かつ文字を水平に配置しやすい位置に配置している。この位置は、当初位置から移動が行われていないポインタ９３に近く、ユーザが内容の詳細表示をポインタ９３を用いて指示する場合等に便利な位置でもある。
【００４２】
図６は、さらに別の処理過程の一例を示している。図６（ａ）は、画像要素群としての電子文書１１０を示している。電子文書１１０は、電子用紙１１２、１１４、１１６、１１８を画像要素として含んでいる。そして、各電子用紙１１２、１１４、１１６、１１８は、順次同一方向に若干ずらされて重ね合わせ表示されている。このため、電子用紙１１２に記載された記載内容１２０は閲覧可能であるものの、電子用紙１１４、１１６、１１８の記載内容の概要を知ることができない。そこで、ユーザはマウスのポインタ１２２を電子文書１１０の上に置いてこの画像要素群の内容を見たいという意志表示を行い、要素群選択部３２はこの画像要素群を再表示対象として選択する。
【００４３】
図６（ｂ）は、扇形処理部４６によって処理され、表示部１６に表示された様子を示している。ここでは、一番手前側の電子用紙１１２の表示に変更はないが、奥側の電子用紙１１４、１１６、１１８は、位置１２３付近を中心に右回転されている。これにより、電子用紙１１４、１１６、１１８のそれぞれの記載内容１２４、１２６、１２８が部分的に表示されている。
【００４４】
この扇形処理の特徴は、回転中心が用紙１１２の中央付近に置かれている点にある。また、回転の角度は、図４の例に比べ小さい。これは、画像要素群としての電子文書１１０が、一般に、図２に示した画像要素群としてのメモ群６６よりも標準的表示サイズが大きいためにとられている措置である。これにより、電子文書１１０の広がりは当初位置の近傍に限られるため、表示部１６の表示可能範囲をはみ出す事態を避けることができる。なお、電子文書１１０のように比較的大きな標準的表示サイズを有する画像要素群に対しては、再表示の際に、縮小を行うことも有効である。
【図面の簡単な説明】
【００４５】
【図１】画像表示装置の構成例を表す概略的機能ブロック図である。
【図２】表示部に表示される画像の例を表す図である。
【図３】処理例を示すフローチャートである。
【図４】処理過程における画像表示例を示す図である。
【図５】処理過程における別の画像表示例を示す図である。
【図６】画像要素群を電子文書とした場合の画像表示例を示す図である。
【符号の説明】
【００４６】
１０  画像表示装置、１２  入出力部、１４  ユーザ入力部、１６  表示部、１８  制御部、２０  管理部、２２  要素群設定部、２４  記憶部、２６  画像要素、３０  選択部、３２  要素群選択部、３４  要素選択部、４０  表示処理部、４２  配置処理部、４４  再配置処理部、４６  扇形処理部、４８  サイズ処理部、５０  文字処理部、５２  部分設定部、５４  対応処理部、５６  別表示処理部、６０  電子文書、６２  文字領域、６４  写真領域、６６  メモ群。
【図１】
2005148782.tif 000003
【図２】
2005148782.tif 000004
【図３】
2005148782.tif 000005
【図４】
2005148782.tif 000006
【図５】
2005148782.tif 000007
【図６】
2005148782.tif 000008